(57)【特許請求の範囲】
【請求項１】
ハウジング内にヒータが収容されたヒータユニットを複数個備えた乾燥装置において、
前記複数個のヒータユニットは、それぞれのヒータユニット間に回動自在な連結手段を介在させて鎖状に結合され、
前記連結手段は前記複数個のヒータユニットの一端部同士を回転自在に連結していることを特徴とする乾燥装置。
【請求項２】
前記連結手段は、一対の第１、第２連結アームと、前記第１、第２連結アームの一端部同士を繋いで所定角度に調節可能な調節手段とを有し、前記第１、第２連結アームの他端部を隣接する前記ヒータユニットにそれぞれ回転自在な固定手段で固定したことを特徴とする請求項１に記載の乾燥装置。
【請求項３】
前記複数個のヒータユニットは、いずれか１つのヒータユニットを支持部材に固定したことを特徴とする請求項１に記載の乾燥装置。
【請求項４】
前記支持部材は、移動自在な基台から立設した支柱からなり、前記支柱に前記ヒータユニットをスライド移動自在な結合手段で結合したことを特徴とする請求項３に記載の乾燥装置。
【請求項５】
前記ヒータは、ニクロム線ヒータ、シーズヒータ、ハロゲンランプヒータ又はカーボンランプヒータのいずれかであることを特徴とする請求項１に記載の乾燥装置。
【請求項６】
前記複数個のヒータユニットのいずれか１つのヒータユニットの照射面近傍に、被塗装面に対向して該被塗装面の温度を検知する非接触型の温度センサーを設け、前記温度センサーの検知出力が制御装置に入力されて、該制御装置により前記ヒータユニットの温度制御がなされることを特徴とする請求項１に記載の乾燥装置。
【請求項７】
前記制御装置は、制御手段及び記憶手段を有し、前記記憶手段に各種乾燥パターンを記憶させておき、前記制御手段は、前記温度センサーの検知出力に基づき選定された乾燥パターンを実行することを特徴とする請求項６に記載の乾燥装置。
【請求項８】
前記支持部材に固定されたヒータユニットは、その中間部が前記支持部材に固定されていると共に、前記連結手段が一端部のみに連結されている場合には該連結手段が連結されていない他端部近傍に、前記連結手段が両端部に連結されている場合にはより連結された前記複数のヒータユニットの数の少ない端部近傍に制御装置が取付けられていることを特徴とする請求項３又は４に記載の乾燥装置。
【請求項９】
移動自在な基台と、前記基台から立設された所定長さの支柱と、前記支柱に設けられた上下動可能な結合手段に結合されたヒータユニットとを備えた乾燥装置において、
前記ヒータユニットは、２個のヒータユニットからなり、これらのヒータユニットは、両ヒータユニット間をリンク機構で結合して、前記リンク機構を前記結合手段に結合したことを特徴とする乾燥装置。
【請求項１０】
前記リンク機構は、複数本のアームからなる折畳み自在なリンク機構で構成して、前記リンク機構を前記結合手段に回転可能に枢支したことを特徴とする請求項９に記載の乾燥装置。
【請求項１１】
前記折畳み自在なリンク機構は、前記２個のヒータユニットを直接連結する所定長さの連結アームと、前記連結アームの長手方向の略中央部に支軸で回動自在に枢支した所定長さの第１可動アームと、前記第１可動アームの両端にそれぞれ回動自在に支軸で枢支した第２、第３可動アームとを有し、前記連結アームおよび前記第２、第３可動アームの端部は前記２個のヒータユニットに回動自在に枢支させたことを特徴とする請求項１０に記載の乾燥装置。
【請求項１２】
前記ヒータユニットのヒータは、ニクロム線ヒータ、シーズヒータ、ハロゲンランプヒータ又はカーボンランプヒータのいずれかであることを特徴とする請求項９に記載の乾燥装置。
【請求項１３】
前記２個のヒータユニットのいずれか１つのヒータユニットの照射面近傍に、被塗装面に対向して該被塗装面の温度を検知する非接触型の温度センサーを設け、前記温度センサーの検知出力が制御装置に入力されて、該制御装置により前記ヒータユニットの温度制御がなされることを特徴とする請求項９に記載の乾燥装置。
【請求項１４】
前記制御装置は、制御手段及び記憶手段を有し、前記記憶手段に各種乾燥パターンを記憶させておき、前記制御手段は、前記温度センサーの検知出力に基づき選定された乾燥パターンを実行することを特徴とする請求項１３に記載の乾燥装置。
【発明の詳細な説明】
【技術分野】
【０００１】
本発明は複数個のヒータユニットを有する乾燥装置に係り、詳しくは自動車ボディに付いた傷等の塗装補修を行う際に、その補修箇所の形状に合わせて個々のヒータユニットの位置変更が可能で自動車修理工場などで簡易に使用するのに好適な乾燥装置に関するものである。
【背景技術】
【０００２】
自動車ボディの塗装補修作業は、塗料を塗布した後に６０〜８０℃の低温で焼き付け、塗膜を熱により反応硬化させる乾燥処理作業となっている。この補修作業には、熱源にニクロム線ヒータ、シーズヒータ或いはランプヒータを用いた塗装乾燥装置が使用されており、このような塗装乾燥装置は多く開発されて、その一部が特許文献にも紹介されている（例えば下記特許文献１、２参照）。
【０００３】
図１２は下記特許文献１に開示された塗装乾燥装置を示す正面図である。
下記特許文献１に開示された塗装乾燥装置３０は、キャスター付きの台車３１と、この台車３１に立設された支柱３２と、この支柱３２に昇降装置３３を介して支持された赤外線加熱部３４と、この赤外線加熱部３４の頂部に取付けられた送風装置３５と、赤外線加熱部３４及び送風装置３５を制御する操作盤（図示省略）とで構成されている。
【０００４】
この塗装乾燥装置３０による乾燥処理は、先ず、この塗装乾燥装置３０を塗装が終了した自動車ボディの補修箇所へ近接させ、昇降装置３３のハンドルを操作して赤外線加熱部３４の高さが調整される。次いで、操作盤が操作されて赤外線加熱部３４に塗装箇所を加熱すると共に、送風装置３５から所定速度の風が送風される。塗装箇所への熱風照射及び所定速度の送風は、塗料の種類に対応した所定の制御プログラムによって実行されるようになっている。
【０００５】
また、下記特許文献２に開示された電熱乾燥器は、キャスター付き台車と、この台車に立設された可動支柱と、この可動支柱に支持された遠赤外線発熱ランプとを備え、遠赤外線発熱ランプが筐体に収容されて、この筐体が可動支柱に傾動自在に取付けられた構成を有している。この電熱乾燥器を使用した乾燥処理は、上記の装置と略同じ方法で行われるが、この乾燥器は赤外線発熱ランプが収容された筐体が可動支柱に傾動自在に固定されているので、塗装面との距離が微調整できるようになっている。
【０００６】
【特許文献１】特開平８−２７８０８０号公報（段落〔００１５〕〜〔００１８〕、図２）
【特許文献２】実開昭５９−２５０９６号公報（請求項１、図１）
【発明の開示】
【発明が解決しようとする課題】
【０００７】
上記特許文献１、２に開示されている各塗装乾燥装置は、加熱部が支柱に上下動自在に固定されているので、この加熱部を上下動させることにより加熱部を補修箇所へ対向させて乾燥処理ができる。これらの塗装乾燥装置は、赤外線加熱部の発熱面が略四角形状となっているので、この形状と同じ形状の塗装面、例えば自動車ボディなどに付いた比較的小さな傷でこの発熱面と同じ大きさの塗装補修に対しては、効率よく乾燥処理ができる。
【０００８】
ところが自動車ボディに付く傷は、このような小さいものばかりでなく、自動車が動いているときに障害物等と接触した際に付く傷は自動車の進行方向に沿って細長く延びたものになることが多い。このような細長の傷の塗装補修に上記特許文献１及び２に開示された塗装乾燥装置を使用すると、全ての傷を一度に処理することができないため作業が面倒になり、処理の能率を上げることが難しく、しかも１つの傷を複数回に分けて処理するため処理ムラなどが発生する恐れがある。すなわち、この補修作業は、細長な塗装面を複数に区分して、これらの区分された塗装面毎に加熱部を移動させて処理しなければならなくなるため、乾燥装置の移動・調整が必要となりその作業が面倒になり、全体の処理時間も長くなる。また、加熱部の発熱面の大きさと塗装面の大きさとが合わないと、乾燥ムラが発生し或いは塗装面が小さ過ぎると処理面以外の箇所へも熱照射されてしまい照射熱が無駄になる。その結果、加熱部への供給電力をセーブできなくなり省エネが難しいなどの課題が潜在している。
【０００９】
本発明は、このような従来技術の課題を解決するためになされたものであり、本発明の目的は、自動車ボディに付いた傷の塗装補修等をする際に、その乾燥箇所の形状に合わせて複数個のヒータユニットの位置変更を容易にできるようにして乾燥処理効率の向上を図った乾燥装置を提供することにある。
【００１０】
また、本発明の他の目的は、上記目的を達成できるとともに小型・軽量化を実現した乾燥装置を提供することにある。
【課題を解決するための手段】
【００１１】
本発明は上記目的を達成するために、本願の請求項１に記載の乾燥装置は、ハウジング内にヒータが収容されたヒータユニットを複数個備えた乾燥装置において、前記複数個のヒータユニットは、それぞれのヒータユニット間に回動自在な連結手段を介在させて鎖状に結合され、前記連結手段は前記複数個のヒータユニットの一端部同士を回転自在に連結していることを特徴とする。
【００１２】
請求項２に記載の発明は、請求項１に記載の乾燥装置において、前記連結手段は、一対の第１、第２連結アームと、該第１、第２連結アームの一端部同士を繋いで所定角度に調節可能な調節手段とを有し、前記連結手段の前記第１、第２連結アームの他端部を隣接する前記ヒータユニットにそれぞれ回転自在な固定手段で固定したことを特徴とする。
【００１３】
請求項３に記載の発明は、請求項１に記載の乾燥装置において、前記複数個のヒータユニットは、いずれか１つのヒータユニットを支持部材に固定したことを特徴とする。
【００１４】
請求項４に記載の発明は、請求項３に記載の乾燥装置において、前記支持部材は、移動自在な基台から立設した支柱からなり、前記支柱に前記ヒータユニットをスライド移動自在な固定手段で結合したことを特徴とする。
【００１５】
請求項５に記載の発明は、請求項１に記載の乾燥装置において、前記ヒータは、ニクロム線ヒータ、シーズヒータ、ハロゲンランプヒータ又はカーボンランプヒータのいずれかであることを特徴とする。
【００１６】
請求項６に記載の発明は、請求項１に記載の乾燥装置において、前記複数個のヒータユニットのいずれか１つのヒータユニットの照射面近傍に、被塗装面に対向して該被塗装面の温度を検知する非接触型の温度センサーを設け、前記温度センサーの検知出力が制御装置に入力されて、該制御装置により前記ヒータユニットの温度制御がなされることを特徴とする。
【００１７】
請求項７に記載の発明は、請求項６に記載の乾燥装置において、前記制御装置は、制御手段及び記憶手段を有し、前記記憶手段に各種乾燥パターンを記憶させておき、前記制御手段は、前記温度センサーの検知出力に基づき選定された乾燥パターンを実行することを特徴とする。
【００１８】
請求項８に記載の発明は、請求項３又は４に記載の乾燥装置において、前記支持部材に固定されたヒータユニットは、その中間部が前記支持部材に固定されていると共に、前記連結手段が一端部のみに連結されている場合には該連結手段が連結されていない他端部近傍に、前記連結手段が両端部に連結されている場合にはより連結された前記複数のヒータユニットの数の少ない端部近傍に制御装置が取付けられていることを特徴とする。
【００１９】
本願の請求項９に記載の乾燥装置は、移動自在な基台と、前記基台から立設された所定長さの支柱と、前記支柱に設けられた上下動可能な結合手段に結合されたヒータユニットとを備えた乾燥装置において、
前記ヒータユニットは、２個のヒータユニットからなり、これらのヒータユニットは、両ヒータユニット間をリンク機構で結合して、前記リンク機構を前記結合手段に結合したことを特徴とする。
【００２０】
請求項１０に記載の発明は、請求項９に記載の乾燥装置において、前記リンク機構は、複数本のアームからなる折畳み自在なリンク機構で構成して、前記リンク機構を前記結合手段に回転可能に枢支したことを特徴とする。
【００２１】
請求項１１に記載の発明は、請求項１０に記載の乾燥装置において、前記折畳み自在なリンク機構は、前記２個のヒータユニットを直接連結する所定長さの連結アームと、前記連結アームの長手方向の略中央部に支軸で回動自在に枢支した所定長さの第１可動アームと、前記第１可動アームの両端にそれぞれ回動自在に支軸で枢支した第２、第３可動アームとを有し、前記連結アームおよび前記第２、第３可動アームの端部は前記２個のヒータユニットに回動自在に枢支させたことを特徴とする。
【００２２】
請求項１２に記載の発明は、請求項９に記載の乾燥装置において、前記ヒータユニットのヒータは、ニクロム線ヒータ、シーズヒータ、ハロゲンランプヒータ又はカーボンランプヒータのいずれかであることを特徴とする。
【００２３】
請求項１３に記載の発明は、請求項９に記載の乾燥装置において、前記２個のヒータユニットのいずれか１つのヒータユニットの照射面近傍に、被塗装面に対向して該被塗装面の温度を検知する非接触型の温度センサーを設け、前記温度センサーの検知出力が制御装置に入力されて、該制御装置により前記ヒータユニットの温度制御がなされることを特徴とする。
【００２４】
請求項１４に記載の発明は、請求項１３に記載の乾燥装置において、前記制御装置は、制御手段及び記憶手段を有し、前記記憶手段に各種乾燥パターンを記憶させておき、前記制御手段は、前記温度センサーの検知出力に基づき選定された乾燥パターンを実行することを特徴とする。
【発明の効果】
【００２５】
本発明は、上記構成を備えることにより、以下に示すような優れた効果を奏するものである。すなわち、請求項１の発明によれば、複数個のヒータユニットは、それぞれ回動自在な連結手段で結合されているので、自動車ボディに付いた傷などを補修する際の被塗装面の形状に合わせてそれぞれのヒータユニットの位置を変更することができる。その結果、被塗装面の形状、例えば略正方形状或いは細長の被塗装面に合わせて、各ヒータユニットからそれぞれ放射熱を照射させることができる。したがって照射熱が塗装面の外に散乱することが少なく被塗装面に集中されることになるので放射熱の無駄がなくなり、以って効率的な乾燥処理が実現できる、また、ヒータユニットへの電力の供給も少なくて済むので省エネルギー化を図ることもできる。
【００２６】
また、請求項２の発明によれば、隣接するヒータユニットは、それぞれ所定角度に調節可能な調節手段を有する連結アームで結合されているので、被塗装面の形状が複雑になっても、その形状に合わせてそれぞれのヒータユニットの位置変更及び照射距離の調整が簡単にできる。
【００２７】
また、請求項３の発明によれば、複数個のヒータユニットのいずれか１つのヒータユニットが支持部材に固定されているので、支持部材に固定されたヒータユニットを中心にして、他のヒータユニットの位置変更が可能になる。
【００２８】
また、請求項４の発明によれば、支持部材は、移動自在な基台から立設した支柱からなり、この支柱にスライド移動自在な固定手段でヒータユニットが結合されているので、ヒータユニットの上下動が簡単になる。また、支柱が移動可能な基台に立設されているので、移動が簡単になる。更に、塗装乾燥装置は主に基台、支柱及びヒータユニットといった少ない部材で構成されているので、小型・軽量化が簡単にできると共に組み立てが簡単になり、小型貨物自動車などでの搬送が容易になる。
【００２９】
また、請求項５の発明によれば、ヒータにニクロム線ヒータ、シーズヒータ、ハロゲンランプヒータ又はカーボンランプヒータを使用することにより、ヒータユニットを軽量にすることが可能になる。また、特にカーボンランプヒータを使用することにより、熱効率を向上させることが可能になる。
【００３０】
また、請求項６及び７の発明によれば、温度センサーを検知出力に基づき選定された乾燥パターンを実行することにより、全自動の乾燥処理ができる。
【００３１】
また、請求項８の発明によれば、支持部材にその中間部が固定されたヒータユニットにおいて、その一端部のみに連結手段が連結されている場合には他端部近傍に、その両端部に連結手段が連結されている場合にはよりヒータユニットの連結数が少ない端部近傍に制御装置を設けている。これにより、制御装置は比較的重量があるので、例えば複数個のヒータユニットを水平方向に一直線に配列させた場合であっても塗装乾燥装置の重心が大きく移動して転倒する恐れがなく、安定した使用を行うことが可能となる。
【００３２】
請求項９の発明によれば、ヒータユニットを２個のヒータユニットで構成し、これらのヒータユニットの間をリンク機構で結合して、このリンク機構を結合手段に結合したので、２個のヒータユニットは支柱に対して上下動が可能になるとともに、横一列への配列および所定の角度で停止させることが可能になる。その結果、乾燥処理面の形状に合わせて簡単にヒータユニットの移動ができるとともに、乾燥処理を効率的に実施することが可能になる。加えて、リンク機構をヒータユニット間に設けると共に、このリンク機構を結合手段を用いて支柱に結合させたので、ヒータユニットのレイアウトに拘わらず、常に重心のバランスを一定に保つことができるようになる。したがって、支柱及び基台を小型にすることができ、また、ヒータユニットの移動を安定して行うことができる。
【００３３】
請求項１０の発明によれば、リンク機構を複数本のアームからなる折畳み自在なリンク機構で構成して、このリンク機構を結合手段に回転可能に枢支したので、２個のヒータユニットを結合手段で結合された箇所を中心にして３６０度の範囲で回転させることが可能になる。すなわち、乾燥装置は、２個のヒータユニットを上下、横および縦一列、さらに左右およびその途中など略３６０度の範囲で停止させることが可能になるので、広範囲の乾燥処理ができる。
【００３４】
請求項１１の発明によれば、折畳み自在なリンク機構は、複数本のアームで簡単の形成することができる。
【００３５】
また、請求項１２の発明によれば、ヒータにニクロム線ヒータ、シーズヒータ、ハロゲンランプヒータ又はカーボンランプヒータを使用することにより、ヒータユニットを軽量にすることが可能になる。また、特にカーボンランプヒータを使用することにより、熱効率を向上させることが可能になる。
【００３６】
また、請求項１３及び１４の発明によれば、温度センサーの検知出力に基づき選定された乾燥パターンを実行することにより、全自動の乾燥処理ができる。
【発明を実施するための最良の形態】
【００３７】
以下、図面を参照して本発明の最良の実施形態を説明する。但し、以下に示す実施形態は、本発明の技術思想を具体化するための乾燥装置として塗装乾燥装置を例示するものであって、本発明をこの塗装乾燥装置に特定することを意図するものではなく、特許請求の範囲に含まれるその他の実施形態のものも等しく適応し得るものである。
【実施例１】
【００３８】
初めに、図１〜図４を参照して本発明の一実施形態に係る塗装乾燥装置１について説明する。なお、図１は本発明の実施例１に係る塗装乾燥装置の正面斜視図、図２は図１の乾燥装置のヒータユニットを上方へ持ち上げた状態の背面斜視図、図３は図２に示す塗装乾燥装置の使用形態の１例を示す斜視図、図４は他の使用形態を示す斜視図、図５は図４の乾燥装置のヒータユニットを上方へ持ち上げた状態の背面斜視図である。
【００３９】
本実施形態に係る塗装乾燥装置１は、床面などに固定される基台２と、この基台２から垂直方向へ立設した支柱６と、この支柱６にスライド移動可能に固定した２個の第１、第２ヒータユニット７Ａ、７Ｂと、非接触型温度センサー（以下、単に「温度センサー」という）１８と、この温度センサー１８からの信号を入力して第１、第２ヒータユニット７Ａ、７Ｂを制御する制御装置が収容された制御ボックス１９とを有している。なお、本実施形態で述べる各ヒータユニット７Ａ、７Ｂは従来技術のヒータパネルとほぼ同一の用途・機能を備えるものである。
【００４０】
第１、第２ヒータユニット７Ａ、７Ｂのうち、一方の第１ヒータユニット７Ａは、支柱６に上下方向へスライド移動可能な結合手段１２で固定されており、そして、この第１ヒータユニット７Ａに他方の第２ヒータユニット７Ｂが回転可能なリンク機構からなる連結手段１４で固定されている。
【００４１】
この塗装乾燥装置１を用いた乾燥処理方法は、主に、
（イ）第１、第２ヒータユニット７Ａ、７Ｂを上下にほぼ平行に２段配列して行う方法、
（ロ）第１、第２ヒータユニット７Ａ、７Ｂを水平方向へ１列配列して行う方法、
のいずれかで行われる。すなわち、上記（イ）の方法は、結合手段１２を操作して第１ヒータユニット７Ａを支柱６の所定位置に固定し、次いで、第２ヒータユニット７Ｂを連結手段１４を介して回動させて第１ヒータユニット７Ａの上方へ位置させて、各ヒータユニットから被塗装面へ熱照射する方法であり（図１〜図３参照）、また、上記（ロ）の方法は、第２ヒータユニット７Ｂを連結手段１４を介して回動させ、この第２ヒータユニット７Ｂが第１ヒータユニット７Ａに対して横方向に一直線に並ぶように水平方向へ位置させ、各ヒータユニット７Ａ、７Ｂから被塗装面へ熱照射する方法である（図４及び図５参照）。
【００４２】
上記（イ）の方法によると、第１、第２ヒータユニット７Ａ、７Ｂは上下２段に配列されるのでほぼ正方形の照射面積を形成することになり、ほぼ正方形状の面を乾燥処理できる。また、上記（ロ）の方法によると、第１、第２ヒータユニット７Ａ、７Ｂは水平１列に配列されるので横方向に長尺な照射面積を形成することになり、横方向に長い面を乾燥処理できる。
【００４３】
この塗装乾燥装置１によれば、第１、第２ヒータユニット７Ａ、７Ｂを上記（イ）、（ロ）に示す配列が可能であるため、被塗装面の形状に合わせて適宜照射面積の形状を変更して乾燥処理ができるようになる。したがって、例えば狭い作業環境等でも効率よく経済的な作業を行うことができる。すなわち、第１、第２ヒータユニット７Ａ、７Ｂは、回動自在な連結手段１４で結合されているため、補修箇所となる被塗装面の形状に合わせてそれぞれのヒータユニットの位置を変更することができる。その結果、被塗装面の形状、例えば矩形状或いは細長の被塗装面に照準を合わせて、第１、第２ヒータユニット７Ａ、７Ｂからそれぞれ放射熱を照射できるので、照射熱が被塗装面の外に散乱することがなくなり、効率な乾燥処理を実現するとともに省エネルギー化を図ることができる。また、第１、第２ヒータユニット７Ａ、７Ｂの支持部材は、移動自在な基台２とこの基台２から立設した支柱６からなり、第１、第２ヒータユニット７Ａ、７Ｂはこの支柱６にスライド移動自在な固定手段１２で結合されているので、第１、第２ヒータユニット７Ａ、７Ｂは簡単に上下動させることができる。
【００４４】
なお、第１、第２ヒータユニット７Ａ、７Ｂを上記（イ）、（ロ）の配列だけでなく、第２ヒータユニット７Ｂを途中で停止させることにより、途中で屈曲しているような角度を有する被塗装面の乾燥処理も可能になる。
【００４５】
以下、この塗装乾燥装置１を構成する個々の部材を詳述する。
基台２は、床面などを移動させて所定箇所に位置決め固定する平面視でＵ字状の基台フレーム３と、この基台フレーム３の２つの角部に固定したキャスター５ａ、５ｂと、支柱６を固定する固定板４とを有している。基台フレーム３は、所定の間隔（例えば６０３ｍｍ）をあけて対向させた所定の長さ（例えば５１３ｍｍ）の一対の脚部３ａ、３ｃとこれらの脚部３ａ、３ｃの一端を繋ぐ連結部３ｂとを有し、これらは所定の長さ及び太さを有し内部が中空の１本の金属管、例えばアルミニウム管を略Ｕ字状に折曲させて形成されている。また、各脚部３ａ、３ｃの端部は床面に接触するように下方へ折曲された折曲端３ａ'、３ｃ'となっている。固定板４は、所定大きさの金属板からなり、連結部３ｂ及び両脚部３ａ、３ｃの連結部３ｂ側の一部に溶接等で固定されている。なお、床面から固定板４までの高さは、例えば８４ｍｍになっている。
【００４６】
支柱６は、所定太さ及び高さ（例えば１３５０ｍｍ）を有し内部が中空の四角柱からなり、アルミニウムなどからなる金属管で形成されている。この支柱６は、その底部６ｂが基台２の固定板４の略中央部に形成された固定穴４ａに挿入されて立設固定されている。なお、この固定部分に固定部材６ｃ（図２参照）を取付けることにより固定強度を向上させておくと好ましい。また、この支柱６には、その頂部６ａから結合手段１２が挿入されて装着される。このような構成により、支柱６が移動自在な基台２に立設されるので、支柱６を手で把持して傾け、脚部３ａ、３ｃの折曲端３ａ'、３ｃ'を床面から浮かし、支柱６を押動することにより、一対のキャスター５ａ、５ｂが回動して所望の場所へスムーズに移動させることができる。そして、所定の場所へ移動させた後に支柱６を元の状態に戻して床面に折曲端３ａ'、３ｃ'を当接させることにより、床面に移動不能に載置できる。
【００４７】
第１、第２ヒータユニット７Ａ、７Ｂは、ほぼ同じ構成を有している。そこで以下には代表して第１ユニット７Ａの構成について図１及び図２を参照して説明する。
第１ヒータユニット７Ａは、所定長さのランプヒータ８と、このランプヒータ８を収容し一面が開口したヒータハウジング９と、このヒータハウジング９の開口部に装着するガード１１とを有している。ランプヒータ８としては、例えば所定容量（例えば９００Ｗ）のカーボンランプヒータが使用される。このヒータを使用することにより、眩しくなくなり、熱効率が向上する。勿論、他のヒータ、例えばニクロム線ヒータ、シーズヒータあるいはハロゲンランプヒータを使用することもできる。
【００４８】
ヒータハウジング９は、所定の長さ（例えば８５ｍｍ）及び幅長（例えば６２０ｍｍ）を有する矩形状の底板部９ａと、この底板部９ａの四方から延びた側板部９ｂ〜９ｅと、これらの側板部９ｂ〜９ｅの端縁に形成された開口部９ｆとを有し、底部が船底状に形成された箱状のケースからなり、金属板を折曲加工して形成されている。またこの金属板はアルミニウム板にするのが好ましい。底板部９ａの長手方向の長さはヒータランプ８の長さより若干長くなっており、底板部９ａ及び側板部９ｂ〜９ｅには、複数本のスリットが形成されている。これらのスリットによってヒータハウジング９内に蓄熱される熱が放熱される。このヒータハウジング９の内部には、長手方向の両端部にランプヒータ８を固定する固定部９ｈが設けられている。また、ヒータハウジング９内部は熱反射加工が施されている。また、開口部９ｆの長尺な縁辺の一方には把持部１０が設けられている。この把持部１０を設けることにより、支柱６に対する第１ヒータユニット７Ａの移動及び第１ヒータユニット７Ａに対する第２ヒータユニット７Ｂの移動が簡単になる。
【００４９】
第１ヒータユニット７Ａは、その底板部９ａが結合手段１２により支柱６に固定されている。この固定手段１２は、内部に支柱６が挿通される大きさの貫通穴を有する比較的短長な筒状管１２ａと、この筒状管１２ａの一側面に穿設されたネジ穴に螺合された位置決めネジ１２ｂとで形成されている。なお、この位置決めネジ１２ｂを締結することにより結合手段１２が支柱に上下動不能に固定される。また、筒状管１２ａの各ヒータユニット７Ａ、７Ｂが配設される側の面の反対側に位置する面には把持環１３が固定されている。この把持環１３を設けることにより、固定手段１２の上下動が容易になる。この第１ヒータユニット７Ａには温度センサー１８が取付けられている。
【００５０】
第２ヒータユニット７Ｂは連結手段１４により第１ヒータユニット７Ａに結合されている。この連結手段１４は、一対の第１、第２連結アーム１５ａ、１５ｂと、両連結アーム１５ａ、１５ｂの一端部を回転自在に結合する調節ネジ１６と、を有するリンク機構で構成されている。これらの第１、第２連結アーム１５ａ、１５ｂは、他端部が第１、第２ヒータユニット７Ａ、７Ｂの各底板部９ａ、９ａへ取付けネジ１７ａ、１７ｂで回転自在にネジ止めされる。なお、各底板部９ａ、９ａへのネジ止めの際には、底板部９ａ、９ａに取付けられた当て板９ｇを間に介在させて固定するのが好ましい。また、この当て板９ｇには、過度な回転を規制する回り止め構造を設けると更に好ましい。このように連結手段１４で第１、第２ヒータユニット７Ａ、７Ｂを結合することにより、第２ヒータユニット７Ｂを第１ヒータユニット７Ａの上方或いは水平方向へ移動させることが可能になる。また、調節ネジ１６を調節することにより、第２ヒータユニット７Ｂを、第１ヒータユニット７Ａに対して前方へ所定角度に傾斜させることも可能になる（図３参照）。
【００５１】
制御ボックス１９は、結合手段１２の筒状管１２ａの一側面に固定されて、第１ヒータユニット７Ａの移動に追従して移動される。また、この制御ボックス１９が第１ヒータユニット７Ａ側の、支柱６を挟んで連結手段１４が設けられた側の逆側に固定されることにより、比較的重量のある制御ボックス１９が常に支柱６に固定された状態となるので、第２ヒータユニット７Ｂを水平方向へ配設した場合であっても、乾燥乾燥装置１の重心が支柱６からほとんどずれることがなく、また脚部３から水平方向に張り出した第２ヒータユニット７Ｂに対し、制御ボックス１９が重量的なバランスを保つ働きをするため、この塗装乾燥装置１自体が転倒することがない。また、この制御ボックス１９の前面は操作スイッチ（電源スイッチ、及びヒータユニットをオン・オフするスイッチ）及びメータなどが付設された操作盤となっている。この制御ボックス１９内には、第１、第２ヒータユニット７Ａ、７Ｂを制御する制御装置２０（図６参照）が収容されている。さらに、この制御ボックス１９からは複数本のリード線Ｌが導出され、これらのリード線Ｌは外部電源、温度センサー１８及び各ヒータユニット７Ａ、７Ｂ等に接続される。
【００５２】
なお、温度センサー１８は温度を検知する検知面が第１ヒータユニット７Ａの照射面と同一平面上に位置し、且つ被塗装面に対向する方向に向けられて配設されており、各ヒータユニット７Ａ、７Ｂによって加熱された塗装面から生じる熱を検知することで温度検出を行う構造となっている。なお、温度センサー１８の具体的な構造については、例えばサーモパイル型赤外線センサーなど周知のものを使用すればよい。
【００５３】
次に、図６を参照して、制御装置２０の構成を説明する。なお、図６は制御装置のブロック図である。
制御装置２０は、温度センサー１８等からの信号が入力される入力部と、この入力部からの信号に基づいて所定の演算を行う制御手段（ＣＰＵ）と、この制御手段からの演算結果を第１、第２ヒータユニット７Ａ、７Ｂへ出力する出力部と、各種の乾燥パターンなどが記憶された記憶部（ＲＯＭ、ＲＡＭ）と、を有している。なお、図６に示す符号Ｐは被塗装面を示している。
【００５４】
この制御装置２０は、電源２１、温度センサー１８、第１、第２ヒータユニット７Ａ、７Ｂに接続されている。また、記憶部には各種の乾燥パターン、例えば、予備乾燥、本乾燥及び各種のパテ乾燥、プラサフ乾燥、パネル部、樹脂バンパー、樹脂レンズ部の乾燥等を行うための乾燥パターンが記憶されている。これらの乾燥パターンとしてはそれぞれ異なる温度、時間等が設定されている。
【００５５】
このような構成を備える制御装置２０により、選定された乾燥パターンに基づき全自動で塗装乾燥ができる。また、温度センサー１８からの信号に基づく制御を行うようになっているので被塗装面の温度が上がり過ぎる心配がなく、樹脂部品の乾燥中にも安心して作業ができる。なお、この塗装乾燥装置１は、消費電力を従来装置と比較して５９％程度低減できることが確認された。
【００５６】
次に、図１〜図６を参照して、塗装乾燥装置１の使用形態を被塗装面の位置等に対応するように更に詳しく説明する。なお、ここでは既に上述した（イ）及び（ロ）に示す配列に関連付けて説明を行う。
【００５７】
（イ−１）補修箇所となる被塗装面が床面に近い場所にある場合
このような場合には、図１に示すように、第１、第２ヒータユニット７Ａ、７Ｂを上下２段に配列した状態で、下段の第１ヒータユニット７Ａを支柱６の下方に位置決め固定されて使用される。そして、このように両ヒータユニット７Ａ、７Ｂを上下２段配列した後に電源スイッチが投入され、制御装置２０で所定の乾燥パターンが選択されて操作スイッチがオンされる。この操作スイッチのオンにより、第１、第２ヒータユニット７Ａ、７Ｂのいずれか一方或いは双方のランプヒータ８が点灯されて被塗装面へ熱照射され、予備乾燥に次いで本乾燥が行われる。この乾燥処理は、その途中で温度センサー１８により被塗装面の温度が検出され、この検出値が制御装置１８にフィードバックされることにより、温度調節を自動的に実行しながら行われる。
【００５８】
（イ−２）補修箇所となる被塗装面が床面に対して高い位置にある場合
このような場合の乾燥処理は、図２に示すように、第１ヒータユニット７Ａを支柱６の上端部６ａ付近に固定した状態で実施される。この際の乾燥パターンの選定及び処理工程は、上記（イ−１）と同じ方法で実施される。なお、上下方向の照射範囲は、基台２及び支柱６の高さとの関係で床面から９４ｍｍ〜１６２３ｍｍの範囲をカバーできる。また、被塗装面の形状が例えばくの字状に屈曲している場合などには、図３に示すように、第２ヒータユニット７Ｂを前方に傾けて被塗装面の形状に合うように位置決め固定して乾燥処理を行うこともできる。このように被塗装面の形状に合わせて２つのヒータユニット７Ａ、７Ｂの設置角度を自由に変更できることにより、被塗装面に対して一様な距離から均一な乾燥処理を行うことができるようになる。
【００５９】
（ロ−１）補修箇所となる被塗装面が床面などに近い場所にある場合
このような場合には、図４に示すように、第１ヒータユニット７Ａを支柱６の下方に位置決め固定すると共に、第２ヒータユニット７Ｂを連結手段１４を介して回動させて、第２ヒータユニット７Ｂが第１ヒータユニット７Ａと水平方向に１列になるように配列させる。この水平１列配列した後に電源スイッチが投入され、制御装置２０で所定の乾燥パターンが選択されて操作スイッチがオンされる。この操作スイッチのオンにより、第１、第２ヒータユニット７Ａ、７Ｂのいずれか一方或いは双方のランプヒータ８が点灯されて被塗装面へ熱照射され、予備乾燥に次いで本乾燥が行われる。この乾燥処理は、その途中で温度センサー１８により被塗装面の温度が検出され、この検出値が制御装置１８にフィードバックされることにより、温度調節を自動的に実行しながら行われる。
【００６０】
（ロ−２）補修箇所となる被塗装面が床面に対して高い位置にある場合
このような場合の乾燥処理は、図５に示すように、第１ヒータユニット７Ａを支柱６の上端部６ａ付近に固定した状態で実施される。乾燥パターンの選定及び処理工程は、上記（ロ−１）と同じ方法で実施される。この水平方向の照射範囲は１２８２ｍｍの範囲をカバーできる。
【００６１】
（ハ）その他、特殊な形状の被塗装面の場合
上述した（イ）に示す第１、第２ヒータユニット７Ａ、７Ｂの配置は、例えば自動車ボディのほぼ平坦な面に傷が付き、かつその傷が横方向には比較的短く、縦方向には比較的長いような場合に非常に効果的な配置といえる。また、上述した（ロ）に示す第１、第２ヒータユニット７Ａ、７Ｂの配置は、例えば自動車ボディのほぼ平坦な面に傷が付き、かつその傷が横方向には比較的長く、縦方向には比較的短いような場合には非常に効果的な配置といえる。しかしながら、自動車ボディに付く傷は上述したような形状に限らず、例えば途中で屈曲したＬ字状の傷や、ボディの屈曲した２つの面に亘って付いた傷なども存在する。そこでこのような場合には、本発明の塗装乾燥装置１は、第１ヒータユニット７Ａを支柱６の所定位置に固定した状態で、第２ヒータユニット７Ｂを第１ヒータユニット７Ａとのなす角が塗装面の分布状態に対応するように適宜調整して固定し、例えば両ヒータユニット７Ａ、７Ｂが略Ｌ字状の位置関係となるように固定して乾燥処理を行う。なお、この際連結手段１４の第１、第２連結アーム１５ａ、１５ｂは調節ネジ１６を操作することで第２ヒータユニット７Ｂを前方に傾斜させて固定することも可能であるから、被塗装面の状態に合わせて第１、第２ヒータユニット７Ａ、７Ｂの配置をより自由に変更することができる。したがって、折曲した被塗装面であっても良好な乾燥処理が可能になる。
【００６２】
また、上述の塗装乾燥装置１においては、支柱６が移動可能な基台２に立設されているので移動が簡単になる。更に、この塗装乾燥装置１は基台２、支柱６及びヒータユニット７Ａ、７Ｂの少ない部材で構成されているので、部材を小型、軽量化できると共に組み立ても簡単になり、小型の貨物自動車などでの搬送が容易になる。
【００６３】
上記実施形態の塗装乾燥装置１は、２個のヒータユニット７Ａ、７Ｂで構成されているが、その個数は２個でなくそれ以上のヒータユニットで構成することもできる。なお、図７は４個のヒータユニット７Ａ〜７Ｄを連結手段で結合した塗装乾燥装置１'を示している。
【００６４】
この塗装乾燥装置１'を用いることにより、上述した塗装乾燥装置１では全てを一度に処理することが難しい程度の大きさ、すなわち縦方向及び横方向に長い傷を塗装補修する場合であっても、縦方向に並行に４段配列にしたり（図７Ａ参照）、水平方向に一列に配列したり（図７Ｂ参照）、あるいは水平方向に一列に配列したのち被塗装面に合わせて連結手段部分で屈曲させたり（図７Ｃ参照）することで、より多くの種類の被塗装面の乾燥に使用することが可能な塗装乾燥装置１'とすることが可能となる。
【実施例２】
【００６５】
次に、図８〜図１１を参照して本発明の他の実施形態に係る塗装乾燥装置について説明する。なお、図８は本発明の実施例２に係る塗装乾燥装置の正面斜視図、図９は図８の塗装乾燥装置のヒータユニットを上方へ持ち上げた状態の背面斜視図、図１０は図８に示す塗装乾燥装置の使用形態の一例を示す斜視図、図１１は図１０の背面斜視図である。
【００６６】
なお、この塗装乾燥装置１Ａは、実施例１の塗装乾燥装置１と連結手段１４の構成およびその固定箇所並びに基台の一部が異なっているのみで、他の構成は同じになっている。そこで、共通する構成には、同一符号を付してその説明は実施例１の説明を援用することとして、異なる構成について詳述する。
【００６７】
連結手段１４Ａは、図８及び図９に示すように、複数本のアームからなる折畳み自在なリンク機構からなり、このリンク機構１４Ａは、結合手段１２の腕部材２２に回動自在に枢支されている。すなわち、このリンク機構１４Ａは、２個の第１、第２ヒータユニット７Ａ、７Ｂを直接連結する所定長さの板状の連結アーム２４と、この連結アーム２４の長手方向の略中央部に回動自在に枢支される所定長さの第１可動アーム２５と、この第１可動アーム２５の両端にそれぞれ回動自在に枢支される第２、第３可動アーム２６、２７とを有し、連結アーム２４および第２、第３可動アーム２６、２７の端部は、それぞれ第１、第２ヒータユニット７Ａ、７Ｂに回動自在に枢支された構成を有している。一対の第２、第３可動アーム２６、２７は、連結アーム２４の略半分の長さを有する板状体で形成されている。
【００６８】
このリンク機構１４Ａをさらに詳述すると、連結アーム２４の両端は、それぞれの第１、第２ヒータユニット７Ａ、７Ｂにそれぞれ枢支点２４ａ、２４ｂで回動自在に固定されている。また、第１可動アーム２５は、連結アーム２４の略中央部の枢支点２３で腕部材２２に枢支されている。さらに、第２、第３可動アーム２６、２７も第１、第２ヒータユニット７Ａ、７Ｂおよび第１可動アーム２５にそれぞれ枢支点２６ａ、２６および２７ａ、２７ｂで枢支されている。
【００６９】
腕部材２２は、結合手段１２の筒状管１２ａから支柱６と直交する方向へ所定長さ突出した棒状体で形成されている。この棒状体の頂部にリンク機構１４Ａの第１可動アーム２５および連結アーム２４の略中心部が枢支されている。この枢支された箇所が枢支点２３となっている。棒状体からなる腕部材２２の先端部、すなわち棒状体の頂部にリンク機構１４Ａを枢支すると、このリンク機構１４Ａは、折畳み自在となるとともに、枢支点２３を中心にして３６０度回転可能となる。
【００７０】
なお、基台２は、踏み台４ｂを設ける。この踏み台を設けることにより、装置移動の際に、この踏み台を踏むことにより簡単に移動させることができる。
【００７１】
この実施例２に係る塗装乾燥装置１Ａは、実施例１の塗装乾燥装置１と同じように、それぞれの第１、第２ヒータユニット７Ａ、７Ｂを所望の位置へ移動させることが可能になるとともに、さらにその移動も異なる形態にすることが可能になる。すなわち、実施例１の塗装乾燥装置は、２個の第１、第２ヒータユニット７Ａ、７Ｂは、主に上下および横方向一列であったが、この塗装乾燥装置１Ａでは、さらに左右および縦方向一列並びにそれらの途中にも配設することが可能になる。なお、これらの途中位置の停止は、枢支点の固定力を調整することにより、簡単に停止させることも可能になる。
【００７２】
したがって、この塗装乾燥装置１Ａは、２個の第１、第２ヒータユニット７Ａ、７Ｂを
上下、横および縦一列、さらに左右およびその途中など略３６０度の範囲で停止させることが可能になるので、塗料乾燥だけでなくさらに広い用途の乾燥処理に使用できる。加えて、本実施例２に係る塗装乾燥装置１Ａは、上述した実施例１の塗装乾燥装置のようにヒータユニット７Ａ、７Ｂの移動に伴って重心が移動することがないので、転倒しにくく、また、重心が移動しないので基台２、基台フレーム３及び支柱６等からなるスタンドを小型にしても安定してヒータユニット７Ａ、７Ｂの移動を行うことができる。
【図面の簡単な説明】
【００７３】
【図１】本発明の実施形態に係る塗装乾燥装置の正面斜視図である。
【図２】図１の乾燥装置のヒータユニットを上方へ持ち上げた状態の背面斜視図である。
【図３】乾燥装置の使用形態の１例を示す正面斜視図である。
【図４】図１の塗装乾燥装置の異なる使用形態を示す正面斜視図である。
【図５】図４の乾燥装置のヒータユニットを上方へ持ち上げた状態の背面斜視図である。
【図６】本発明の実施形態に係る塗装乾燥装置を制御する制御装置のブロック図である。
【図７】本発明の塗装乾燥装置の変形例を示す概略ブロック図である。
【図８】本発明の他の実施形態に係る塗装乾燥装置の正面斜視図、
【図９】図８の塗装乾燥装置のヒータユニットを上方へ持ち上げた状態の背面斜視図である。
【図１０】図８に示す塗装乾燥装置の使用形態の１例を示す斜視図でる。
【図１１】図１０の背面斜視図である。
【図１２】従来技術の塗装乾燥装置の正面図である。
【符号の説明】
【００７４】
１、１'、１Ａ    塗装乾燥装置
２          基台
３          基台フレーム
５ａ、５ｂ  キャスター
６          支柱
７Ａ、７Ｂ  ヒータユニット
８          ヒータランプ
９          ヒータハウジング
１０        把持部
１１        ガード
１２        結合手段
１３        把持環
１４、１４Ａ        連結手段（リンク機構）
１５ａ、１５ｂ  連結アーム
１６        調節ネジ
１９        温度センサー
２０        制御装置
２２        腕部材
２４        連結アーム
２５        第１可動アーム
２６        第２可動アーム
２７        第３可動アーム
【図１】
0005274054.tif 000002
【図２】
0005274054.tif 000003
【図３】
0005274054.tif 000004
【図４】
0005274054.tif 000005
【図５】
0005274054.tif 000006
【図６】
0005274054.tif 000007
【図７】
0005274054.tif 000008
【図８】
0005274054.tif 000009
【図９】
0005274054.tif 000010
【図１０】
0005274054.tif 000011
【図１１】
0005274054.tif 000012
【図１２】
0005274054.tif 000013